(57)【要約】【課題】画質を向上させることが可能な反射型液晶表示装置を提供する。【解決手段】反射型液晶表示パネル２と偏光ビームスプリッター６との間には、第一の透明部材９が配置され、第一の透明部材９の第一の面９ａと対向する位置には、拡散板４が配置され、拡散板４の光出射面は、第一の透明部材９の第一の面９ａに対して傾斜している。これにより、第一の透明部材９の第一の面９ａに入射する光の拡散性が部分的に高まり、結果として、反射型液晶表示パネル２が表示する画像の輝度ムラが減少して画質が向上する。【選択図】図１
2019174575.tif 000002
【特許請求の範囲】
【請求項１】
光源と、
反射型液晶表示パネルと、
前記光源から出射された光を拡散する拡散板と、
前記光源から出射された光に含まれる互いに偏光軸が直交する二種類の直線偏光のうち一方の直線偏光のみを透過させる偏光板と、
前記偏光板を透過した前記一方の直線偏光を前記反射型液晶表示パネルの画像表示面に向けて反射すると共に、前記反射型液晶表示パネルの前記画像表示面から出射された前記一方の直線偏光とは偏光軸が直交する他方の直線偏光を透過させる光透過反射面を有する偏光ビームスプリッターと、
前記反射型液晶表示パネルの前記画像表示面と前記偏光ビームスプリッターの前記光透過反射面との間に配置された、光の屈折率が空気層の光の屈折率よりも大きい透明部材と、
を有する反射型液晶表示装置であって、
前記拡散板は、前記透明部材の表面のうち前記偏光板を透過した前記一方の直線偏光が入射する光入射面と対向する位置に配置され、
前記拡散板の光出射面は、前記透明部材の前記光入射面に対して傾斜している、
ことを特徴とする反射型液晶表示装置。
【請求項２】
前記拡散板の前記光出射面は、前記透明部材の前記光入射面のうち前記偏光ビームスプリッターと隣接する領域と対向する領域が、前記透明部材の前記光入射面のうち前記反射型液晶表示パネルと隣接する領域と対向する領域よりも、前記透明部材の前記光入射面から遠ざかるように、傾斜している、ことを特徴とする請求項１に記載の反射型液晶表示装置。
【請求項３】
前記偏光板は、前記透明部材の前記光入射面と対向する位置に配置され、前記偏光板の光出射面は、前記透明部材の前記光入射面に対して傾斜している、ことを特徴とする請求項１又は２に記載の反射型液晶表示装置。
【請求項４】
前記拡散板の前記光出射面と前記偏光板の前記光出射面は、前記透明部材の前記光入射面に対して互いに同じ方向へ傾斜している、ことを特徴とする請求項３に記載の反射型液晶表示装置。
【請求項５】
前記拡散板は、前記偏光板の光入射面と対向する位置に配置され、前記拡散板の前記光出射面から出射された光は、前記偏光板の前記光入射面に入射する、ことを特徴とする請求項１〜４の何れか一つに記載の反射型液晶表示装置。
【発明の詳細な説明】
【技術分野】
【０００１】
本発明は、反射型液晶表示装置に関するものである。
【背景技術】
【０００２】
近年、反射型液晶表示装置における小型化、特に低背化は、観測者と液晶表示パネルの距離を近づけることで、液晶表示パネルの視認性や集光効率を向上させるために必要な技術とされており、さらにその要求は強くなっている。その要求を満たすため、液晶表示パネルの照明光学系の一部に透明部材（プリズム）を用いた反射型液晶表示装置が提案されている。
【０００３】
図２は、従来の反射型液晶表示装置を示す縦断面図である。従来の反射型液晶表示装置は、以下の構成を備えている。回路基板１の同一面上には、画像表示面を上方に向けて反射型液晶表示パネル２が配置され、それと隣接するように光出射面を上方に向けて光源３が配置されている。反射型液晶表示パネル２の上方とその周囲には、反射型液晶表示パネル２を覆うように、第一の筐体１３が配置され、光源３の上方とその周囲には、光源３を覆うように、第二の筐体１４が配置されている。第二の筐体１４の内面には、光源３から出射された光を反射型液晶表示パネル２の上方に配置された板状の偏光ビームスプリッター６へ向かって案内するための第一の反射面１４ａと第二の反射面１４ｂが設けられている。第二の反射面１４ｂから偏光ビームスプリッター６へと進む光路上には、光を拡散させる拡散板４と、互いに偏光軸が直交する二種類の直線偏光のうち一方の直線偏光（以下Ｐ波という）のみを透過させる偏光板５が配置されている。偏光ビームスプリッター６は、Ｐ波を反射し、それと偏光軸が直交する他方の直線偏光（以下Ｓ波という）を透過させる光透過反射面を有するもので、偏光板５から偏光ビームスプリッター６に入射したＰ波を反射型液晶表示パネル２の画像表示面へ垂直に入射させるように傾斜角が決められ、第一の筐体１３により保持されている。
【０００４】
また、従来の反射型液晶表示装置は、光源３から出射された光を屈折させるための第一の透明部材９と第二の透明部材１０を備えている。第一の透明部材９は、偏光板５から出射されたＰ波が入射する第一の面９ａと、偏光ビームスプリッター６の光透過反射面と対向する第二の面９ｂと、反射型液晶表示パネル２の画像表示面と対向する第三の面９ｃとで構成される側面と、それらの側面と直角に接続される互いに平行な２つの底面（不図示）とを有し、第一の面９ａと第三の面９ｃが互いに直交する直角三角柱状の透明部材である。第二の透明部材１０は、第一の筐体１３の側面と対向する第一の面１０ａと、偏光ビームスプリッター６の光透過反射面と対向する第二の面１０ｂと、観察者の目１５に向かって光が出射される第三の面１０ｃとで構成される側面と、それらの側面と直角に接続される互いに平行な２つの底面（不図示）とを有する直角三角柱状の透明部材である。第一の透明部材９は、第三の面９ｃが反射型液晶表示パネル２の画像表示面と近接するように、反射型液晶表示パネル２の上方に配置されている。第二の透明部材１０は、第二の面１０ｂが偏光ビームスプリッター６を挟んで第一の透明部材９の第二の面９ｂと対向するように、第一の透明部材９の上方に配置されている。第一の透明部材９と第二の透明部材１０は、例えば、光の屈折率が１．６程度のポリカーボネートで構成され、互いに同形状を有している。
【０００５】
第一の透明部材９の第二の面９ｂには、第一の屈折膜７が形成され、第二の透明部材１０の第二の面１０ｂには、第二の屈折膜８が形成されている。第一の屈折膜７と第二の屈折膜８は、例えば、光の屈折率が２．５から２．７２の酸化チタンをスパッタ法、蒸着法、塗布法などで成膜したものである。但し、第一の屈折膜７と第二の屈折膜８は、必須ではなく、省略される場合がある。
【０００６】
第一の屈折膜７と偏光ビームスプリッター６との間には、下部空気層１１ａが設けられ、第二の屈折膜８と偏光ビームスプリッター６との間には、上部空気層１１ｂが設けられている。但し、下部空気層１１ａと上部空気層１１ｂは、省略される場合がある。
【０００７】
第一の透明部材９の第三の面９ｃと反射型液晶表示パネル２の画像表示面との間には、空気層１２が設けられている。但し、空気層１２は、省略される場合がある。
【０００８】
拡散板４と偏光板５は、互いに積層され、第一の透明部材９の第一の面９ａと対向する位置に配置されている。拡散板４の光出射面と拡散板５の光出射面は、それぞれ、第一の透明部材９の第一の面９ａと平行となるように配置されている。
【０００９】
光源３から出射された光の主光束は、図２中の矢印で示されるような経路をたどって反射型液晶表示パネル２の画像表示面に垂直に入射する。反射型液晶表示パネル２の画像表示面から出射された光の主光束は、図２中の矢印で示されるような経路をたどって観察者の目１５に入射する。
【００１０】
反射型液晶表示パネル２は、電源オフ状態でＰ波がそのまま液晶を通過するように構成されており、偏光ビームスプリッター６側から垂直に入射したＰ波はそのまま液晶を通過し、反射型液晶表示パネル２の裏面側に設けられた反射要素（反射電極等）で垂直に反射され、反射されたＰ波は再び偏光ビームスプリッター６へ向かって進む。偏光ビームスプリッター６はＰ波を透過しない状態に配置されており、反射型液晶表示パネル２で反射されたＰ波は遮断されるため、電源オフ状態では黒表示状態となる。
【００１１】
一方、反射型液晶表示パネル２は、電源オン状態では液晶がＰ波をＳ波へと変換し、Ｓ波はＰ波と同様に反射型液晶表示パネル２の裏面側で反射され、偏光ビームスプリッター６へ向かって進む。偏光ビームスプリッター６はＳ波を透過する状態に配置されているので、電源オン状態では白表示となる。
【００１２】
以上のプロセスは反射型液晶表示パネル２の画素毎に行われ、偏光ビームスプリッター６を通過したＳ波が観察者の目１５に入射し、映像として視認される。
【００１３】
図２に示したような、反射型液晶表示パネル２と偏光ビームスプリッター６との間に光を屈折させるための透明部材が配置された従来の反射型液晶表示装置は、例えば、特許文献１に開示されている。
【先行技術文献】
【特許文献】
【００１４】
【特許文献１】特開２０１４−２０９２２５号公報
【発明の概要】
【発明が解決しようとする課題】
【００１５】
図２に示した従来の反射型液晶表示装置では、拡散板４が第一の透明部材９の第一の面９ａに対して平行となるように配置されていることから、拡散板４から出射された光は、第一の透明部材９の第一の面９ａに均一に入射する。しかし、光学系の設計によっては、第一の透明部材９の第一の面９ａに均一に光が入射することで、結果的に、反射型液晶表示パネル２の画像表示面から出射される光が不均一となり、画質が低下することがある（例えば、画像に暗線が発生する）。
【００１６】
本発明は、以上の問題に鑑みたもので、画質を向上させることが可能な反射型液晶表示装置を提供することを目的とする。
【課題を解決するための手段】
【００１７】
光源と、反射型液晶表示パネルと、前記光源から出射された光を拡散する拡散板と、前記光源から出射された光に含まれる互いに偏光軸が直交する二種類の直線偏光のうち一方の直線偏光のみを透過させる偏光板と、前記偏光板を透過した前記一方の直線偏光を前記反射型液晶表示パネルの画像表示面に向けて反射すると共に、前記反射型液晶表示パネルの前記画像表示面から出射された前記一方の直線偏光とは偏光軸が直交する他方の直線偏光を透過させる光透過反射面を有する偏光ビームスプリッターと、前記反射型液晶表示パネルの前記画像表示面と前記偏光ビームスプリッターの前記光透過反射面との間に配置された、光の屈折率が空気層の光の屈折率よりも大きい透明部材と、を有する反射型液晶表示装置であって、前記拡散板は、前記透明部材の表面のうち前記偏光板を透過した前記一方の直線偏光が入射する光入射面と対向する位置に配置され、前記拡散板の光出射面は、前記透明部材の前記光入射面に対して傾斜している、反射型液晶表示装置とする。
【００１８】
前記拡散板の前記光出射面は、前記透明部材の前記光入射面のうち前記偏光ビームスプリッターと隣接する領域と対向する領域が、前記透明部材の前記光入射面のうち前記反射型液晶表示パネルと隣接する領域と対向する領域よりも、前記透明部材の前記光入射面から遠ざかるように、傾斜している、反射型液晶表示装置であっても良い。
【００１９】
前記偏光板は、前記透明部材の前記光入射面と対向する位置に配置され、前記偏光板の光出射面は、前記透明部材の前記光入射面に対して傾斜している、反射型液晶表示装置であっても良い。
【００２０】
前記拡散板の前記光出射面と前記偏光板の前記光出射面は、前記透明部材の前記光入射面に対して互いに同じ方向へ傾斜している、反射型液晶表示装置であっても良い。
【００２１】
前記拡散板は、前記偏光板の光入射面と対向する位置に配置され、前記拡散板の前記光出射面から出射された光は、前記偏光板の前記光入射面に入射する、反射型液晶表示装置であっても良い。
【発明の効果】
【００２２】
本発明によると、画質を向上させることが可能な反射型液晶表示装置を提供することができる。
【図面の簡単な説明】
【００２３】
【図１】本発明による反射型液晶表示装置の一実施形態を示す縦断面図
【図２】従来の反射型液晶表示装置を示す縦断面図
【発明を実施するための形態】
【００２４】
図１は、本発明による反射型液晶表示装置の一実施形態を示す縦断面図である。本発明による反射型液晶表示装置の一実施形態は、以下の構成を備えている。回路基板１の同一面上には、画像表示面を上方に向けて反射型液晶表示パネル２が配置され、それと隣接するように光出射面を上方に向けて光源３が配置されている。反射型液晶表示パネル２の上方とその周囲には、反射型液晶表示パネル２を覆うように、第一の筐体１３が配置され、光源３の上方とその周囲には、光源３を覆うように、第二の筐体１４が配置されている。第二の筐体１４の内面には、光源３から出射された光を反射型液晶表示パネル２の上方に配置された板状の偏光ビームスプリッター６へ向かって案内するための第一の反射面１４ａが設けられている。第一の反射面１４ａから偏光ビームスプリッター６へと進む光路上には、光を拡散させる拡散板４と、互いに偏光軸が直交する二種類の直線偏光のうち一方の直線偏光（以下Ｐ波という）のみを透過させる偏光板５が配置されている。偏光ビームスプリッター６は、Ｐ波を反射し、それと偏光軸が直交する他方の直線偏光（以下Ｓ波という）を透過させる光透過反射面を有するもので、偏光板５から偏光ビームスプリッター６に入射したＰ波を反射型液晶表示パネル２の画像表示面へ垂直に入射させるように傾斜角が決められ、第一の筐体１３により保持されている。
【００２５】
本実施形態の反射型液晶表示装置は、光源３から出射された光を屈折させるための第一の透明部材９と第二の透明部材１０を備えている。第一の透明部材９は、偏光板５から出射されたＰ波が入射する第一の面９ａと、偏光ビームスプリッター６の光透過反射面と対向する第二の面９ｂと、反射型液晶表示パネル２の画像表示面と対向する第三の面９ｃとで構成される側面と、それらの側面と直角に接続される互いに平行な２つの底面（不図示）とを有する三角柱状の透明部材である。第一の透明部材９の第一の面９ａと第三の面９ｃとが成す角度は、鋭角である。第二の透明部材１０は、第一の筐体１３の側面と対向する第一の面１０ａと、偏光ビームスプリッター６の光透過反射面と対向する第二の面１０ｂと、観察者の目１５に向かって光が出射される第三の面１０ｃと、反射型液晶表示パネル２の外周部と対向する第四の面１０ｄと、偏光板５と隣接する第五の面１０ｅとで構成される側面と、それらの側面と直角に接続される互いに平行な２つの底面（不図示）とを有する台形柱状透明部材である。第二の透明部材１０の第一の面１０ａと第五の面１０ｅは、互いに平行であり、第三の面１０ｃと第四の面１０ｄは、互いに平行である。第一の透明部材９は、第三の面９ｃが反射型液晶表示パネル２の画像表示面と近接するように、反射型液晶表示パネル２の上方に配置されている。第二の透明部材１０は、第二の面１０ｂが偏光ビームスプリッター６を挟んで第一の透明部材９の第二の面９ｂと対向するように、第一の透明部材９の上方に配置されている。第一の透明部材９と第二の透明部材１０は、例えば、光の屈折率が１．６程度のポリカーボネートで構成されている。
【００２６】
第二の筐体１４の内面のうち、光源３の光出射面と対向する領域には、第一の反射面１４ａが設けられている。第一の反射面１４ａは、光源３から出射された光の主光束を拡散板４に向けて反射するように角度が設定されている。第一の反射面１４ａは、例えば、第二の筐体１４を白色樹脂で形成したり、第二の筐体１４の内面に反射シートなどを配置したりすることにより、反射面として構成されている。第二の筐体１４の内面のうち、第一の反射面１４ａを除く領域は、それらと同様に反射面とされていても良いが、反射面とされていなくても良い。
【００２７】
拡散板４は、偏光板５の光入射面に積層され、偏光板５と一体となって第一の透明部材９の第一の面９ａと対向する位置に配置されている。拡散板４と偏向板５は、それぞれの光出射面が第一の透明部材９の第一の面９ａに対して傾斜した状態で第二の筐体１４に保持されている。拡散板４と偏向板５は、それらの上端部（第一の透明部材９の第二の面９ｂと隣接する側の端部）が下端部（第一の透明部材９の第三の面９ｃと隣接する側の端部）よりも第一の透明部材９の第一の面９ａから遠ざかるように傾斜しており、これにより、第一の透明部材９の第一の面９ａと偏光板５との間には、厚さが連続的に変化する空気層１６が形成されている。空気層１６の厚さは、拡散板４と偏光板５の傾斜に従い、それらの上端部側が相対的に大きく、下端部側が相対的に小さくなるように連続的に変化している。それに伴い、偏光板５と第一の透明部材９の第一の面９ａとの間の光路長も同様に変化している。その光路長が相対的に大きい（長い）部分では、その光路長が相対的に小さい（短い）部分よりも、偏光板５側から第一の透明部材９の第一の面９ａに入射する光の拡散性が高い。空気層１６の厚さは、例えば、１ｍｍ以上である。
【００２８】
第一の透明部材９の第一の面９ａに対する拡散板４と偏光板５の角度は、第一の透明部材９の第一の面９ａから第一の透明部材９の内部へ入射したＰ波の主光束が、第一の透明部材９の第三の面９ｃと反射型液晶表示パネル２との間にある空気層（不図示）との境界面で全反射するように設定されている。全反射する条件は、例えば、第一の透明部材９の第三の面９ｃと反射型液晶表示パネル２との間に介在する空気層の屈折率をｎＡ、第一の透明部材９の屈折率をｎＢ、第一の透明部材９の第一の面９ａ側から第三の面９ｃに入射するＰ波の入射角（第三の面９ｃの法線に対する角度）をαとした場合に、スネルの法則を用いて導き出される式「ｓｉｎα＝ｎＡ／ｎＢ」に基づき決定される。即ち、全反射する条件としては、第一の透明部材９の第一の面９ａ側から第三の面９ｃに入射するＰ波の入射角が式中のθ（臨界角）よりも大きいこと、となる。
【００２９】
第一の透明部材９の第二の面９ｂと第二の透明部材１０の第二の面１０ｂとの間には、所定の厚さの空気層（不図示）が介在し、その空気層の中間に平板状の偏光ビームスプリッター６が配置されることにより、空気層がその厚み方向へ下部空気層（不図示）と上部空気層（不図示）とに分割されている。下部空気層は、偏光ビームスプリッター６の光透過反射面と第一の透明部材９の第二の面９ｂとの間に介在し、上部空気層は、偏光ビームスプリッター６の光透過反射面と第二の透明部材１０の第二の面１０ｂとの間に介在している。この構成は、図２に示した従来の反射型液晶表示装置と同様である。但し、下部空気層と上部空気層は、必須ではなく、必要に応じて、何れか一方又は両方が省略されていても良い。下部空気層と上部空気層を省略した場合、偏光ビームスプリッター６の光透過反射面と第一の透明部材９の第二の面９ｂは、互いに密着し、偏光ビームスプリッター６の光透過反射面と第二の透明部材１０の第二の面１０ｂは、互いに密着していても良いが、それらの間に透明な接着剤等が介在していても良い。
【００３０】
第一の透明部材９の第二の面９ｂの角度は、第一の透明部材９の第三の面９ｃで全反射して第一の透明部材９の第二の面９ｂに入射するＰ波の主光束が、第一の透明部材９の第二の面９ｂと下部空気層（不図示）との境界面で全反射しない角度に設定されている。全反射しない条件は、例えば、下部空気層の屈折率をｎＡ、第一の透明部材９の屈折率をｎＢ、第一の透明部材９の第三の面９ｃ側から第二の面９ｂに入射するＰ波の入射角（第二の面９ｂの法線に対する角度）をθとした場合に、スネルの法則を用いて導き出される式「ｓｉｎθ＝ｎＡ／ｎＢ」に基づき決定される。即ち、全反射しない条件としては、第一の透明部材９の第三の面９ｃ側から第二の面９ｂに入射するＰ波の入射角が式中のθ（臨界角）よりも小さいこと、となる。
【００３１】
但し、第一の透明部材９の第一の面９ａから入射して、第一の透明部材９の第三の面９ｃに入射せずに、直接、第一の透明部材９の第二の面９ｂに入射するＰ波の主光束については、この限りではない。即ち、第一の透明部材９の第二の面９ｂの角度は、第一の透明部材９の第一の面９ａ側から第二の面９ｂに入射するＰ波が、第二の面９ｂと空気層（不図示）との境界面で全反射して第一の透明部材９の内部を第三の面９ｃへ向かって進み、第三の面９ｃと空気層（不図示）との境界面で再び全反射して第一の透明部材９の内部を第二の面９ｂへ向かって進み、場合によってはそれらの全反射を繰り返して、Ｐ波の主光束が反射型液晶表示パネル２の画像表示面全体に行き渡るような角度にも設定されている。
【００３２】
本実施形態において、光源３から出射された光の主光束は、図１中の矢印で示されるように、第二の筐体１４の内面に設けられた第一の反射面１４ａで反射されて拡散板４に入射する。拡散板４に入射した光は、拡散板４で拡散された後、偏光板５を通過してＰ波となり、空気層１６を通過して第一の透明部材９の第一の面９ａに入射する。第一の面９ａに入射したＰ波は、第一の透明部材９の内部を通過して第一の透明部材９の第三の面９ｃに入射する。第三の面９ｃに入射したＰ波は、第三の面９ｃと空気層（不図示）との境界面で第一の透明部材９の第二の面９ｂに向かって全反射し、第一の透明部材９の内部を通過して第一の透明部材９の第二の面９ｂに入射する。第二の面９ｂに入射したＰ波は、第二の面９ｂを通過し、偏光ビームスプリッター６の光透過反射面に入射する。偏光ビームスプリッター６の光透過反射面に入射したＰ波は、光透過反射面で反射型液晶表示パネル２の画像表示面へ垂直に入射する方向へ反射され、第一の透明部材９の第二の面９ｂと第一の透明部材９の内部を通過して第一の透明部材９の第三の面９ｃに入射する。第三の面９ｃに入射したＰ波は、第三の面９ｃと空気層（不図示）との境界面で屈折せずに、空気層を通過して反射型液晶表示パネル２の画像表示面に垂直に入射し、そこで映像光（Ｐ波とＳ波の混合光）となって偏光ビームスプリッター６側へ反射される。反射された映像光は、空気層を通過して第一の透明部材９の第三の面９ｃに入射し、第三の面９ｃと空気層との境界面で屈折せずに、第一の透明部材９の内部を通過して第一の透明部材９の第二の面９ｂに入射する。第二の面９ｂに入射した映像光は、第二の面９ｂを通過し、偏光ビームスプリッター６の光透過反射面に入射する。偏光ビームスプリッター６の光透過反射面に入射した映像光に含まれるＳ波は、偏光ビームスプリッター６の光透過反射面を通過し、第二の透明部材１０の第二の面１０ｂに入射する。第二の面１０ｂに入射したＳ波は、第二の面１０ｂと第二の透明部材１０の内部を通過して第二の透明部材１０の第三の面１０ｃに入射する。第三の面１０ｃに入射したＳ波は、第三の面１０ｃと外界（空気層）との境界面で屈折せずに、第二の透明部材１０から外界へ出射して観察者の目１５に入射し、映像として視認される。
【００３３】
尚、図１中の光路を示す矢印は、あくまでも光路を概念的に示したものであり、必ずしも実際の光路と一致するわけではない。また、偏光板５と空気層１６との境界面、第一の透明部材９の第一の面９ａと空気層１６との境界面、反射型液晶表示パネル２の内部などで生じる光の屈折は、便宜上無視しているが、実際には、そのような光の屈折も考慮して光学系を設計することとなる。
【００３４】
本実施形態では、拡散板４と偏光板５を第一の透明部材９の第一の面９ａに対して傾斜させているため、拡散板４と偏光板５を第一の透明部材９の第一の面９ａに対して平行に配置した場合と比較すると、偏光板５と第一の透明部材９の第一の面９ａとの間の隙間（空気層１６）の厚さが部分的に大きくなり、その隙間が部分的に大きくなった部分において光路が長くなることから、偏光板５から出射して第一の透明部材９の第一の面９ａに入射する光の拡散性が高まる。これにより、反射型液晶表示パネル２の画像表示面から出射される光の輝度ムラが低減されて画質が向上する。尚、この効果は、例えば、拡散板４のみを第一の透明部材９の第一の面９ａに対して傾斜させた場合にも同様に得られる。但し、この効果は、本実施形態のように拡散板４と偏光板５の両方を第一の透明部材９の第一の面９ａに対して傾斜させた場合の方がより高い。
【００３５】
以上の実施形態において、光源３の光を偏光ビームスプリッター６側に照射する方法は、第二の筐体１４の内面に設けられた第一の反射面１４ａを用いた方法に限らず、例えば、光源３の光出射面と偏光板５の光入射面との間に導光板を介在させる方法や、光源３の光が拡散板４に直接照射されるように光源３の光出射面を拡散板４の光入射面と対向させて配置する方法等、種々の方法が選択可能である。また、拡散板４は、光の拡散性が十分確保されている場合などには省略することが可能である。また、光源３は、回路基板１上ではなく、ＦＰＣなどで構成される別の基板上に実装することも可能である。
【００３６】
第一の透明部材９と第二の透明部材１０の表面のうち光学面を除く領域には、黒色部材で着色することなどにより、不要な光を吸収する光吸収部が形成されていても良い。
【００３７】
第一の透明部材９の第二の面９ｂと第二の透明部材１０の第二の面１０ｂの表面には、光を偏光ビームスプリッター６の光透過反射面へ垂直に入射する方向から遠ざかる方向へ屈折させる屈折膜が形成されていても良い。この場合、屈折膜の屈折率や厚さは、光をどのように屈折させるかや光の透過率なども考慮して適宜選択されるが、屈折膜は、光の透過をできるだけ妨げない薄膜であるのが好ましい。
【００３８】
第一の透明部材９の第一の面９ａと第三の面９ｃとが成す角度は、図２に示した従来の反射型液晶表示装置と同様に、直角（９０°）であっても良い。
【００３９】
第一の透明部材９と第二の透明部材１０は、互いに異なる光の屈折率を有していても良い。
【００４０】
第一の透明部材９と第二の透明部材１０は、互いに同じ形状を有していても良い。
【００４１】
第二の透明部材１０は、必須ではなく、省略されていても良い。
【００４２】
第一の筐体１３と第二の筐体１４は、それらの内部で発生した不要な光を吸収する黒系色樹脂などで構成されていても良い。
【００４３】
第一の筐体１３と第二の筐体１４は、互いに一体的に構成されていても良い。
【００４４】
第一の透明部材９の第二の面９ｂと偏光ビームスプリッター６との間、第二の透明部材１０の第二の面１０ｂと偏光ビームスプリッター６との間には、空気層が設けられていなくても良い。
【００４５】
拡散板４と偏光板５は、互いに積層されていなくても良い。
【００４６】
拡散板４は、偏光板５と第一の透明部材９の第一の面９ａとの間に配置されていても良い。但し、拡散板４は、図１に示したように偏光板５の光入射面側に配置されているのが、光学的には望ましい。
【００４７】
拡散板４と偏光板５は、それらのうち何れか一方のみが第一の透明部材９の第一の面９ａに対して傾斜していても良い。
【００４８】
拡散板４と偏光板５は、図１に示した方向とは異なる方向へ傾斜していても良い。また、拡散板４と偏光板５は、互いに異なる方向へ傾斜していても良い。但し、拡散板４と偏光板５は、図１に示したように互いに同じ方向へ傾斜しているのが、光の輝度分布を制御するうえでは望ましい（制御し易い）。何れにしても、拡散板４と偏光板５を傾斜させる方向は、画像の輝度ムラが減少するように適宜決定される。
【００４９】
第一の透明部材９の第一の面９ａと偏光板５との間に設けられた空気層１６は、省略されていても良い。その場合、第一の透明部材９の第一の面９ａと偏光板５との間には、透明な樹脂等が介在していても良い。
【００５０】
拡散板４と偏光板５との間、拡散板４の光入射面と対向する位置、又は、偏光板５の光出射面と対向する位置には、プリズムシートなどの光学シートが配置されていても良い。その場合、光学シートは、拡散板４や偏光板５と同様に、第一の透明部材９の第一の面９ａに対して傾斜していても良い。
【００５１】
第一の透明部材９の第三の面９ｃと反射型液晶表示パネル２の画像表示面との間には、介在していても、介在していなくても、どちらでも良い。
【００５２】
第二の透明部材１０の第一の面１０ａと筐体１４の側面との間には、空気層が介在していても、介在していなくても、どちらでも良い。尚、第二の透明部材１０の第一の面１０ａと筐体１４の側面との間に空気層が介在している場合には、その空気層（隙間）に迷光の一部を閉じ込めることが可能となる。
【符号の説明】
【００５３】
１      回路基板
２      反射型液晶表示パネル
３      光源
４      拡散板
５      偏光板
６      偏光ビームスプリッター
９      第一の透明部材
９ａ    第一の面
９ｂ    第二の面
９ｃ    第三の面
１０    第二の透明部材
１０ａ  第一の面
１０ｂ  第二の面
１０ｃ  第三の面
１０ｄ  第四の面
１０ｅ  第五の面
１１ａ  下部空気層
１１ｂ  上部空気層
１２    空気層
１３    第一の筐体
１４    第二の筐体
１４ａ  第一の反射面
１４ｂ  第二の反射面
１５    観察者の目
１６    空気層
【図１】
2019174575.tif 000003
【図２】
2019174575.tif 000004